(57)【要約】【課題】濃度差により生じる画像欠陥を低減させること。【解決手段】像保持体（ＰＲｙ，ＰＲｍ，ＰＲｃ，ＰＲｋ）と、媒体（Ｓ）に記録される画像に基づいて、像保持体（ＰＲｙ，ＰＲｍ，ＰＲｃ，ＰＲｋ）に潜像を形成する潜像形成装置（ＬＨｙ，ＬＨｍ，ＬＨｃ，ＬＨｋ）と、前記像保持体（ＰＲｙ，ＰＲｍ，ＰＲｃ，ＰＲｋ）の潜像を可視像に現像する現像装置（Ｇｙ，Ｇｍ，Ｇｃ，Ｇｋ）と、画像濃度が設定された判別濃度に比べて高いか否かを判別する高画像濃度判別手段（Ｃ７）と、高画像濃度判別手段により高画像濃度であると判別された場合に、画像が形成される画像形成領域（３）の外側に、画像形成領域（３）と画像形成領域外（４）との濃度差を低減する濃度差低減用画像（ＴＢ）を形成させる濃度差低減用画像作成指示手段（Ｃ８）と、を備えたことを特徴とする画像形成装置（Ｕ）。【選択図】図５
2010008549.tif 000002
【特許請求の範囲】
【請求項１】
像保持体と、
媒体に記録される画像に基づいて、前記像保持体表面に潜像を形成する潜像形成装置と、
前記像保持体表面の潜像を可視像に現像する現像装置と、
形成される前記画像の画像濃度が、予め設定された判別濃度に比べて高いか否かを判別する高画像濃度判別手段と、
前記高画像濃度判別手段により高画像濃度であると判別された場合に、前記潜像形成装置により、前記画像が形成される画像形成領域の外側に、前記画像形成領域と前記画像形成領域外との濃度差を低減する濃度差低減用画像を形成させる濃度差低減用画像作成指示手段と、
を備えたことを特徴とする画像形成装置。
【請求項２】
像保持体と、
媒体に記録される画像に基づいて、前記像保持体表面に潜像を形成する潜像形成装置と、
前記像保持体表面の潜像を可視像に現像する現像装置と、
を備え、
形成される前記画像の画像濃度が、予め設定された判別濃度に比べて高い場合に、前記潜像形成装置により、前記画像が形成される画像形成領域の外側に、前記画像形成領域と前記画像形成領域外との濃度差を低減する濃度差低減用画像が形成される
ことを特徴とする画像形成装置。
【請求項３】
前記像保持体表面に対向して配置された中間転写体と、
前記像保持体表面の可視像を中間転写体表面に転写する一次転写装置と、
前記中間転写体表面に対向、接触して回転可能に配置され、前記中間転写体表面の可視像を媒体に転写する接触型の二次転写装置と、
前記二次転写装置表面に付着した付着物を清掃する二次転写装置用清掃器と、
前記濃度差低減用画像が作成された場合に、前記濃度差低減用画像が形成された媒体の媒体搬送方向に垂直な媒体幅方向の長さである媒体幅を記憶する印刷済み媒体情報記憶手段と、
画像が記録される媒体の媒体幅が、前記印刷済み媒体情報記憶手段に記憶された媒体幅に対して大きいか否かを判別する媒体幅判別手段と、
前記画像が記録される媒体の媒体幅が、前記濃度差低減用画像が作成された媒体幅よりも大きい場合に、前記媒体に対する画像形成を中断して、前記二次転写装置を空回転させて清掃を行う前記清掃制御手段と、
を備えたことを特徴とする請求項１または２に記載の画像形成装置。
【請求項４】
前記媒体に画像が記録される画像記録領域を通過して一面目に画像が記録された媒体を、表裏反転した状態で前記画像記録領域に再送する反転路と、
前記媒体の両面に画像を印刷する両面印刷の設定がされているか否かを判別する両面印刷設定判別手段と、
前記反転路を通過中の媒体の媒体幅を記憶する反転媒体記憶手段と、
前記濃度差低減用画像が作成される媒体の媒体幅が、前記反転路媒体記憶手段に記憶された前記反転路を反転中の媒体幅よりも小さいか否かを判別する反転媒体幅判別手段と、
前記濃度差低減用画像が作成される媒体の媒体幅が、前記反転中の媒体幅よりも小さい場合に、前記濃度差低減用画像の作成を不許可とする濃度差低減用画像作成可否決定手段と、
を備えたことを特徴とする請求項１ないし３のいずれかに記載の画像形成装置。
【請求項５】
前記画像形成領域の外側且つ前記媒体の媒体幅の内側の領域である画像形成外通紙領域を、画像記録後の媒体から裁断する設定がされているか否かを判別する裁断設定判別手段、
を備え、
前記裁断する設定がされている場合に、裁断される前記画像形成外通紙領域に前記濃度差低減用画像を作成する
ことを特徴とする請求項１ないし４のいずれかに記載の画像形成装置。
【発明の詳細な説明】
【技術分野】
【０００１】
本発明は、画像形成装置に関する。
【背景技術】
【０００２】
従来の電子写真方式の画像形成装置において、可視像が保持される像保持体表面の清掃に関して以下の技術が知られている。
特許文献１としての特開２０００−１１２２９８号公報には、感光体ドラム（２０）と、感光体ドラム（２０）を一様に帯電する帯電装置（２１）と、感光体ドラム（２０）上に潜像を形成するレーザ走査装置（２２）と、感光体ドラム（２０）上の静電潜像を現像する現像装置（２３）と、感光体ドラム（２０）をクリーニングするクリーニング装置（２６）と、を有した画像形成装置が記載されている。
特許文献１に記載の技術では、感光体ドラム（２０）上に形成されたトナー像（Ｔ）と、次の用紙（２５）に転写されるトナー像（Ｔ）と、の間であるインターイメージ領域に対して、レーザ走査装置（２２）で潜像を書き込むか、または、帯電装置（２１）で帯電状態を変更することで、転写されずに感光体ドラム（２０）上に残るトナーバンド（Ｂｗ）を作成している。そして、特許文献１に記載の技術では、転写後の感光体ドラム（２０）をクリーニング装置（２６）で清掃する際に、トナーバンド（Ｂｗ）ごと除去することで、紙粉や転写時に発生する放電生成物などを除去している。
【０００３】
特許文献２としての特開２００６−２０１３８５号公報には、記録媒体の大きさに基づいたトナー像形成領域（５０，５１）に、画像データ用のトナー像が形成される感光体ロール（１１）について記載されている。特許文献２に記載の技術では、感光体ロール（１１）のトナー像形成領域（５０，５１）の幅方向外側に、トナーバンド（３１）を形成し、トナー像形成領域（５０，５１）の幅方向外側とクリーニングブレード（１１１）との摩擦を低減させている。また、特許文献２に記載の技術では、トナーバンド（３１）の濃度は画像データ等に基づいて変化せず、トナーバンド（３１）の幅等が変化している。さらに、特許文献２に記載の技術では、用紙サイズに関わらず、一定の印刷回数でトナーバンド（３１）を形成している。
【０００４】
【特許文献１】特開２０００−１１２２９８号公報（「００１９」、「００３１」〜「００４２」、「００５２」、図７）
【特許文献２】特開２００６−２０１３８５号公報（「００２２」〜「００２３」、「００２６」、「００３４」、図２、図３）
【発明の開示】
【発明が解決しようとする課題】
【０００５】
本発明は、濃度差により生じる画像欠陥を低減させることを技術的課題とする。
【課題を解決するための手段】
【０００６】
前記技術的課題を解決するために、請求項１に記載の発明の画像形成装置は、
像保持体と、
媒体に記録される画像に基づいて、前記像保持体表面に潜像を形成する潜像形成装置と、
前記像保持体表面の潜像を可視像に現像する現像装置と、
形成される前記画像の画像濃度が、予め設定された判別濃度に比べて高いか否かを判別する高画像濃度判別手段と、
前記高画像濃度判別手段により高画像濃度であると判別された場合に、前記潜像形成装置により、前記画像が形成される画像形成領域の外側に、前記画像形成領域と前記画像形成領域外との濃度差を低減する濃度差低減用画像を形成させる濃度差低減用画像作成指示手段と、
を備えたことを特徴とする。
【０００７】
前記技術的課題を解決するために、請求項２に記載の発明の画像形成装置は、
像保持体と、
媒体に記録される画像に基づいて、前記像保持体表面に潜像を形成する潜像形成装置と、
前記像保持体表面の潜像を可視像に現像する現像装置と、
を備え、
形成される前記画像の画像濃度が、予め設定された判別濃度に比べて高い場合に、前記潜像形成装置により、前記画像が形成される画像形成領域の外側に、前記画像形成領域と前記画像形成領域外との濃度差を低減する濃度差低減用画像が形成される
ことを特徴とする。
【０００８】
請求項３に記載の発明は、請求項１または２に記載の画像形成装置において、
前記像保持体表面に対向して配置された中間転写体と、
前記像保持体表面の可視像を中間転写体表面に転写する一次転写装置と、
前記中間転写体表面に対向、接触して回転可能に配置され、前記中間転写体表面の可視像を媒体に転写する接触型の二次転写装置と、
前記二次転写装置表面に付着した付着物を清掃する二次転写装置用清掃器と、
前記濃度差低減用画像が作成された場合に、前記濃度差低減用画像が形成された媒体の媒体搬送方向に垂直な媒体幅方向の長さである媒体幅を記憶する印刷済み媒体情報記憶手段と、
画像が記録される媒体の媒体幅が、前記印刷済み媒体情報記憶手段に記憶された媒体幅に対して大きいか否かを判別する媒体幅判別手段と、
前記画像が記録される媒体の媒体幅が、前記濃度差低減用画像が作成された媒体幅よりも大きい場合に、前記媒体に対する画像形成を中断して、前記二次転写装置を空回転させて清掃を行う前記清掃制御手段と、
を備えたことを特徴とする。
【０００９】
請求項４に記載の発明は、請求項１ないし３のいずれかに記載の画像形成装置において、
前記媒体に画像が記録される画像記録領域を通過して一面目に画像が記録された媒体を、表裏反転した状態で前記画像記録領域に再送する反転路と、
前記媒体の両面に画像を印刷する両面印刷の設定がされているか否かを判別する両面印刷設定判別手段と、
前記反転路を通過中の媒体の媒体幅を記憶する反転媒体記憶手段と、
前記濃度差低減用画像が作成される媒体の媒体幅が、前記反転路媒体記憶手段に記憶された前記反転路を反転中の媒体幅よりも小さいか否かを判別する反転媒体幅判別手段と、
前記濃度差低減用画像が作成される媒体の媒体幅が、前記反転中の媒体幅よりも小さい場合に、前記濃度差低減用画像の作成を不許可とする濃度差低減用画像作成可否決定手段と、
を備えたことを特徴とする。
【００１０】
請求項５に記載の発明は、請求項１ないし４のいずれかに記載の画像形成装置において、
前記画像形成領域の外側且つ前記媒体の媒体幅の内側の領域である画像形成外通紙領域を、画像記録後の媒体から裁断する設定がされているか否かを判別する裁断設定判別手段、
を備え、
前記裁断する設定がされている場合に、裁断される前記画像形成外通紙領域に前記濃度差低減用画像を作成する
ことを特徴とする。
【発明の効果】
【００１１】
請求項１，２に記載の発明によれば、画像形成領域と画像形成領域外との濃度差を低減することができ、濃度差により生じる画像欠陥を低減することができる。
請求項３に記載の発明によれば、濃度差低減用画像が媒体に裏移りする恐れがある場合にのみ清掃を行うことができ、濃度差低減用画像を作成する度に清掃を行う場合に比べ、画像形成速度を向上させることができる。
【００１２】
請求項４に記載の発明によれば、本発明の構成を有しない場合に比べ、清掃を行わずに、濃度差低減用画像が反転中の媒体に裏移りすることを低減することができる。また、濃度差低減用画像が作成される際に、反転中の媒体を停止させて画像形成動作が中断されて清掃が行われる場合には、濃度差低減用画像の作成を不許可とすることができ、反転中の媒体の搬送が中断されて生じる媒体詰まりを低減することができる。
請求項５に記載の発明によれば、画像形成外通紙領域に濃度差低減用画像を作成することができない場合に比べて、画像形成領域の近傍に濃度差低減用画像を作成することができ、画像形成領域と画像形成領域外の濃度差を低減することができる。
【発明を実施するための最良の形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の全体説明図である。
図１において、画像形成装置の一例としてのコピー及びプリンタの機能を有する複合機Ｕは自動原稿搬送装置Ｕ1と、これを支持し且つ上端に透明な原稿読取り面ＰＧを有する画像形成装置本体Ｕ2とを備えている。
前記自動原稿搬送装置Ｕ1は、複写しようとする複数の原稿Ｇiが重ねて収容される原稿給紙部ＴＧ1と、原稿給紙部ＴＧ1から給紙され前記原稿読取り面ＰＧ上の原稿読取位置を通過して搬送される原稿Ｇiが排出される原稿排紙部ＴＧ2とを有している。
前記画像形成装置本体Ｕ2は、利用者が画像形成動作開始等の作動指令信号を入力操作する操作部ＵＩと、露光光学系Ａ等を有している。
【００１５】
前記自動原稿搬送装置Ｕ１で原稿読取り面ＰＧ上を搬送される原稿または手動で原稿読取り面ＰＧ上に置かれた原稿からの反射光は、前記露光光学系Ａを介して、固体撮像素子ＣＣＤで赤Ｒ、緑Ｇ、青Ｂの電気信号に変換される。
画像情報変換部ＩＰＳは、固体撮像素子ＣＣＤから入力される前記ＲＧＢの電気信号を黒Ｋ、黄色Ｙ、マゼンタＭ、シアンＣの印刷情報に変換して一時的に記憶し、前記印刷情報を所定の時期に潜像形成用の印刷情報として潜像形成装置駆動回路ＤＬに出力する。
なお、原稿画像が単色画像、いわゆる、モノクロの場合は、黒Ｋのみの印刷情報が潜像形成装置駆動回路ＤＬに入力される。
【００１６】
また、前記複合機Ｕには、情報送信装置ＰＣが電気的に接続されており、前記情報送信装置ＰＣから画像情報等が送信され、制御部Ｃに入力される。前記制御部Ｃに入力された画像情報は、所定の時期に潜像形成用の黄色Ｙ、マゼンタＭ、シアンＣ、黒Ｋの印刷情報に変換され、潜像形成装置駆動回路ＤＬに出力される。
【００１７】
前記潜像形成装置駆動回路ＤＬは、図示しない各色Ｙ，Ｍ，Ｃ，Ｋの各駆動回路を有し、入力された印刷情報に応じた信号を所定の時期に、各色毎に配置された潜像形成装置ＬＨｙ，ＬＨｍ，ＬＨｃ，ＬＨｋに出力する。
【００１８】
図２は実施例１の画像形成装置の要部拡大説明図である。
図１、図２において、前記プリンタＵの重力方向中央部に配置された可視像形成装置Ｕｙ，Ｕｍ，Ｕｃ，Ｕｋはそれぞれ、Ｙ，Ｍ，Ｃ、およびＫの各色の可視像を形成する装置である。
潜像形成装置ＬＨｙ〜ＬＨｋの各潜像書込光源から出射したＹ，Ｍ，Ｃ，Ｋの潜像書込光は、それぞれ、回転する像保持体ＰＲｙ，ＰＲｍ，ＰＲｃ，ＰＲｋに入射する。なお、実施例１では、前記潜像形成装置ＬＨｙ〜ＬＨｋは、いわゆる、ＬＥＤアレイにより構成されている。
前記Ｙの可視像形成装置Ｕｙは、回転する像保持体ＰＲｙ、帯電器ＣＲｙ，潜像形成装置ＬＨｙ、現像装置Ｇｙ、一次転写装置Ｔ１ｙ、像保持体清掃器ＣＬｙを有している。なお、実施例１では、前記像保持体ＰＲｙ、帯電器ＣＲｙ、像保持体清掃器ＣＬｙが、画像形成装置本体Ｕ２に対して一体的に着脱可能な像保持体ユニットとして構成されている。
前記可視像形成装置Ｕｍ，Ｕｃ，Ｕｋはいずれも前記Ｙの可視像形成装置Ｕｙと同様に構成されている。
【００１９】
図１，図２において、前記各像保持体ＰＲｙ，ＰＲｍ，ＰＲｃ，ＰＲｋはそれぞれの帯電器ＣＲｙ，ＣＲｍ，ＣＲｃ，ＣＲｋにより帯電された後、画像書込位置Ｑ１ｙ，Ｑ１ｍ，Ｑ１ｃ，Ｑ１ｋにおいて、前記潜像書込光により、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋの現像剤保持体の一例としての現像ロールＧＲｙ，ＧＲｍ，ＧＲｃ，ＧＲｋに保持された現像剤により可視像の一例としてのトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写装置Ｔ1ｙ，Ｔ1ｍ，Ｔ1ｃ，Ｔ1ｋには、制御部Ｃにより制御される電源回路Ｅから所定の時期にトナーの帯電極性と逆極性の１次転写電圧が印加される。
【００２０】
前記各像保持体ＰＲｙ〜ＰＲｋ上のトナー像は前記１次転写装置Ｔ1ｙ，Ｔ1ｍ，Ｔ1ｃ，Ｔ1ｋにより中間転写ベルトＢに１次転写される。１次転写後の像保持体ＰＲｙ，ＰＲｍ，ＰＲｃ，ＰＲｋ表面の残留物、付着物は、像保持体清掃器ＣＬｙ，ＣＬｍ，ＣＬｃ，ＣＬｋにより清掃される。清掃された前記像保持体ＰＲｙ，ＰＲｍ，ＰＲｃ，ＰＲｋ表面は、帯電器ＣＲｙ，ＣＲｍ，ＣＲｃ，ＣＲｋにより再帯電される。
【００２１】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、前記中間転写ベルトＢと、中間転写体駆動部材の一例としてのベルト駆動ロールＲｄ、中間転写体張架部材の一例としてのテンションロールＲｔ、蛇行防止部材の一例としてのウォーキングロールＲｗ、従動部材の一例としてのアイドラロールＲｆおよび二次転写領域対向部材の一例としてのバックアップロールＴ２aと、前記１次転写装置Ｔ1ｙ，Ｔ1ｍ，Ｔ1ｃ，Ｔ1ｋとを有している。そして、前記中間転写ベルトＢは、前記各ロールＲｄ，Ｒｔ，Ｒｗ，Ｒｆ，Ｔ２aにより構成される中間転写体支持部材の一例としてのベルト支持ロールＲｄ，Ｒｔ，Ｒｗ，Ｒｆ，Ｔ２aにより回転移動可能に支持されている。
【００２２】
前記バックアップロールＴ２aに接する中間転写ベルトＢの表面に対向して２次転写部材の一例としての二次転写ロールＴ２bが配置されており、前記各ロールＴ２a，Ｔ２bにより２次転写装置Ｔ２が構成されている。また、２次転写ロールＴ２bおよび中間転写ベルトＢの対向する領域には２次転写領域Ｑ4が形成される。
前記１次転写領域Ｑ３ｙ，Ｑ３ｍ，Ｑ３ｃ，Ｑ３ｋで一次転写装置Ｔ1ｙ，Ｔ1ｍ，Ｔ1ｃ，Ｔ1ｋにより中間転写ベルトＢ上に順次重ねて転写された単色または多色のトナー像は、前記２次転写領域Ｑ4に搬送される。
前記一次転写装置Ｔ１ｙ〜Ｔ１ｋ、中間転写ベルトＢおよび二次転写装置Ｔ２等により、実施例１の転写装置Ｔ１＋Ｔ２＋Ｂが構成されている。
【００２３】
前記可視像形成装置Ｕｙ〜Ｕｋの下方には、ガイド部材の一例としての左右一対のガイドレールＧＲが４段設けられており、前記ガイドレールＧＲには、給紙容器の一例としての給紙トレイＴＲ１〜ＴＲ４が前後方向に出入可能に支持されている。給紙トレイＴＲ１〜ＴＲ４に収容された媒体の一例としての記録シートＳは、搬送部材の一例であって、送り出し部材の一例としてのピックアップロールＲpにより取り出され、媒体捌き部材の一例としてのさばきロールＲsにより１枚ずつ分離される。そして、記録シートＳは、媒体の搬送路の一例である給紙路ＳＨ１に沿って、搬送部材の一例としての複数の搬送ロールＲａにより搬送され、２次転写領域Ｑ４のシート搬送方向上流側に配置された転写領域搬送時期調節部材の一例としてのレジロールＲrに送られる。
前記ピックアップロールＲｐ、さばきロールＲｓ等により、実施例１の給紙装置Ｒｐ＋Ｒｓが構成されている。
また、前記最上段の給紙トレイＴＲ１の左方には、手差し給紙部の一例としての手差しトレイＴＲ０が設置されている。前記手差しトレイＴＲ０に支持された記録シートＳは、手差し給紙部材の一例としての手差し給紙ロールＲｐ０により給紙され、手差し搬送路ＳＨ０を搬送され、レジロールＲｒに送られる。
【００２４】
レジロールＲｒは、前記中間転写ベルトＢに形成されたトナー像が２次転写領域Ｑ4に搬送される時期に合わせて、前記記録シートＳを前記給紙路ＳＨ１の下流側の搬送路の一例としての主搬送路ＳＨ２に搬送し、記録シートＳを２次転写領域Ｑ4に搬送する。記録シートＳが前記２次転写領域Ｑ4を通過する際、前記バックアップロールＴ２aは接地され、２次転写ロールＴ２bには前記制御部Ｃにより制御される電源回路Ｅからトナーの帯電極性と逆極性の２次転写電圧が印加される。このとき、前記中間転写ベルトＢ上のトナー像は、前記２次転写装置Ｔ２により記録シートＳに転写される。
２次転写後の前記中間転写ベルトＢは、中間転写体清掃器の一例としてのベルトクリーナＣＬbにより清掃される。また、２次転写後の前記２次転写ロールＴ２ｂは、２次転写装置用清掃器の一例としての二次転写装置用クリーナＣＬｔにより清掃される。
【００２５】
前記トナー像が２次転写された記録シートＳは、定着装置Ｆの加熱用定着部材の一例としての加熱ロールＦhおよび加圧用定着部材の一例としての加圧ロールＦpの圧接領域である定着領域Ｑ5に搬送され、前記定着領域を通過する際に加熱定着される。なお、前記加熱ロールＦh表面には、記録シートＳの前記加熱ロールからの離型性を良くするための離型剤が離型剤塗布装置Ｆaにより塗布されている。
前記定着装置Ｆの搬送方向下流側である上方には、記録シートＳを媒体排出部の一例としての排紙トレイＴＲｈに搬送する場合に搬送路の一例としての排紙路ＳＨ３と、反転や画像記録面を上側にして排出される記録シートＳが搬送される搬送路の一例としての上方接続路ＳＨ４が配置されている。前記排紙路ＳＨ３と上方接続路ＳＨ４との接続部には、記録シートＳの搬送先に応じて搬送路を切り替える搬送路切り替え部材の一例としての第１ゲートＧＴ１が配置されている。したがって、排紙トレイＴＲｈに排紙される場合には、定着された記録シートＳが排紙路ＳＨ３を搬送され、排紙ロールＲｈにより排紙トレイＴＲｈに排紙される。
【００２６】
前記定着装置Ｆの上方には、追加媒体排出装置の一例としてのオプション排出ユニットＵ３が支持されており、前記オプション排出ユニットＵ３は、前記排紙トレイＴＲｈの上方に配置され、排紙トレイＴＲｈと同様に画像記録面が下側になる状態で積載される下向き積載部の一例としてのフェイスダウントレイＴＲｈ２と、画像記録面が上側になる状態で積載される上向き積載部の一例としてのフェイスアップトレイＴＲｈ３とを有する。前記オプション排出ユニットＵ３内部には、前記上側接続路ＳＨ４に接続される搬送路の一例としての反転・排出共通路ＳＨ５と、前記反転・排出共通路ＳＨ５に接続され且つフェイスダウントレイＴＲｈ２に記録シートＳを送る搬送路の一例としてのフェイスダウン排出路ＳＨ６と、前記反転・排出共通路ＳＨ５に接続され且つフェイスアップトレイＴＲｈ３に記録シートＳを送る搬送路の一例としてのフェイスアップ排出路ＳＨ７と、を有する。
【００２７】
前記フェイスダウン排出路ＳＨ６には、搬送部材の一例であって、媒体排出部材兼媒体反転部材の一例として、正逆回転可能な反転ロールＲｈ２が配置されており、前記フェイスアップ排出路ＳＨ７には、媒体排出部材の一例としてのフェイスアップ排紙ロールＲｈ３が配置され、各搬送路ＳＨ６，ＳＨ７の記録シートＳを搬送する。
前記反転・排出共通路ＳＨ５、フェイスダウン排出路ＳＨ６およびフェイスアップ排出路ＳＨ７との接続部には、記録シートＳの搬送路を切り替える搬送路切り替え部材の一例としての第２ゲートＧＴ２が配置されている。前記第２ゲートＧＴ２は、記録シートＳがフェイスダウントレイＴＲｈ２に排出される場合と両面印刷のために反転される場合にフェイスダウン排出路ＳＨ６に搬送路を切り替え、記録シートＳがフェイスアップトレイＴＲｈ３に排出される場合にはフェイスアップ排出路ＳＨ７に搬送路を切り替える。
【００２８】
前記画像形成装置本体Ｕ２の左側部には、追加ユニットの一例としての反転ユニットＵ４が設置されている。前記反転ユニットＵ４には、反転・排出共通路ＳＨ５の下端部に接続され、両面印刷時に記録シートＳが搬送される搬送路の一例としての反転路ＳＨ８が設けられている。前記反転路ＳＨ８は、重力方向に沿って直線上に延びる主反転路ＳＨ８ａと、前記主反転路ＳＨ８ａと反転・排出共通路ＳＨ５とを接続する上流側反転路ＳＨ８ｂと、前記主反転路ＳＨ８ａとレジロールＲｒとを接続する下流側反転路ＳＨ８ｃと、を有する。前記上流側反転路ＳＨ８ｂと反転・排出共通路ＳＨ５との接続部には、記録シートＳが反転時に上方接続路ＳＨ４に搬送されないよう搬送路を切り替える搬送路切り替え部材の一例としての第３ゲートＧＴ３が配置されている。前記反転・排出共通路ＳＨ５やフェイスダウン排出路ＳＨ６の搬送方向下流側の搬送路である反転路ＳＨ８には、反転路ＳＨ８内の記録シートＳを搬送する反転路搬送部材の一例としての反転路搬送ロールＲａ２が配置されている。
【００２９】
したがって、両面印刷がされる記録シートＳは、前記反転・排出共通路ＳＨ５を搬送されて、反転ロールＲｈ２により記録シートＳの後端部が挟まれた状態になるまでフェイスダウントレイＴＲｈ２に排出された後、反転ロールＲｈ２が逆回転し、記録シートＳが反転路ＳＨ８に搬送される。前記反転路ＳＨ８を搬送された記録シートＳは、反転路搬送ロールＲａ２により搬送され、表裏が反転した状態で、レジロールＲｒに搬送される。
前記各搬送路ＳＨ１〜ＳＨ８により実施例１の搬送路ＳＨが構成されており、前記搬送路ＳＨ、給紙装置Ｒｐ＋Ｒｓ、シート搬送ロールＲａ、レジロールＲｒ、排紙ロールＲｈ、反転ロールＲｈ２、フェイスアップ排紙ロールＲｈ３、反転路搬送ロールＲａ２、ゲートＧＴ１〜ＧＴ３等により媒体搬送装置ＳＨ＋Ｒａ〜Ｒａ２＋Ｒｒ＋ＧＴが構成されている。
【００３０】
図１において、実施例１では、下側の３段分の給紙トレイＴＲ２〜ＴＲ４の左方には、上流側開放部材の一例としての下カバーＵ１ａが、図１の実線で示す通常位置と、図１の破線で示す開放位置との間で開閉可能に支持されている。前記下カバーＵ１ａには、給紙トレイＴＲ２〜ＴＲ４の左方の給紙路ＳＨ１の左側の案内、いわゆるガイドや、一対の搬送ロールＲａの外側が支持されている。したがって、下カバーＵ１ａを開放位置に移動させることで、給紙路ＳＨ１の下部、すなわち、搬送方向上流側の上流側給紙路ＳＨ１ａが開放される。
図１において、前記反転ユニットＵ４には、下流側開放部材の一例として、前記主反転路ＳＨ８ａの左方に、図１の実線で示す通常位置と、図１の破線で示す開放位置との間で開閉可能に支持された反転路開放カバーＵ４ａが配置されている。前記反転路開放カバーＵ４ａには、主反転路ＳＨ８ａの左側のガイドが支持されており、反転路開放カバーＵ４ａを開放位置に移動させることで、主反転路ＳＨ８ｂが開放される。
【００３１】
図３は本発明の実施例１の全体説明図であり、メインカバーが開放位置と通常位置との間で移動する状態を説明する説明図である。
図３において、前記画像形成装置本体Ｕ２の左方には、開放部材の一例として、図３の実線で示す通常位置と、図３の破線で示す開放位置との間で開閉可能に支持されたメインカバーＵ１ｂが配置されている。前記メインカバーＵ１ｂを開放位置に移動させることにより、主搬送路ＳＨ２や、給紙路ＳＨ１の下流側である下流側給紙路ＳＨ１ｂ、上方接続路ＳＨ４が開放され、反転路ＳＨ８も上流側が外部に露出、開放される。したがって、前記メインカバーＵ１ｂは、下カバーＵ１ａに対する下流側開放部材として機能すると共に、反転路開放カバーＵ４ａに対する上流側開放部材として機能する。
【００３２】
前記ベルトモジュールＢＭの上方には黄色Ｙ，マゼンタＭ，シアンＣ，黒Ｋの各現像剤を収容する現像剤補給容器の一例としての現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像装置Ｇｙ，Ｇｍ，Ｇｃ，Ｇｋの現像剤の消費に応じて、図示しない現像剤補給路から前記各現像装置Ｇｙ，Ｇｍ，Ｇｃ，Ｇｋに補給される。なお、実施例１では、前記現像剤として、磁性のキャリアと、外添剤が付与されたトナーとを含む二成分現像剤により構成されている。
【００３３】
（像保持体清掃器、中間転写体清掃器および二次転写装置用清掃器の説明）
図２において、前記各像保持体清掃器ＣＬｙ〜ＣＬｋは、清掃容器１１を有する。前記清掃容器１１内には、像保持体ＰＲｙ〜ＰＲｋに接触して表面に付着した残留現像剤や紙粉等の残留物を除去する除去部材１２，１３が配置されている。実施例１では、前記残留物除去部材１２，１３の一例として、回転しながら接触する円筒刷毛状の清掃ブラシ１２と、像保持体ＰＲｙ〜ＰＲｋに押し当てられて残留物を擦り取る板状の清掃ブレード１３とを有する。清掃容器１１の下端には、残留物搬送部材１４が設けられている。前記残留物搬送部材１４により、清掃容器１１内の残留物が清掃容器１１外に搬送され、図示しない残留物回収容器に回収される。
図２において、前記ベルトクリーナＣＬｂも、像保持体清掃器ＣＬｙ〜ＣＬｋと同様に、清掃容器２１、除去部材２２，２３、残留物搬送部材２４、とを有する。また、前記二次転写装置用クリーナＣＬｔも、像保持体清掃器ＣＬｙ〜ＣＬｋと同様に、清掃容器３１、除去部材３２，３３、残留物搬送部材３４、とを有する。
【００３４】
図４は実施例１の像保持体の幅と、帯電器の帯電領域の幅と、潜像形成装置による潜像形成領域の幅と、現像ロールの現像領域の幅と、一次転写装置の一次転写領域の幅と、中間転写ベルトの幅と、像保持体清掃器による像保持体清掃領域幅と、二次転写装置の二次転写領域の幅と、記録シートの幅と、中間転写体清掃器による中間転写体清掃領域の幅と、二次転写装置清掃器による二次清掃領域の幅との関係を表した図である。
【００３５】
図４において、実施例１の複合機Ｕでは、帯電器ＣＲｙ〜ＣＲｋの前後方向の長さ、すなわち帯電領域の幅は、像保持体ＰＲｙ〜ＰＲｋの幅よりも狭く構成されている。潜像形成装置ＬＨｙ〜ＬＨｋによる像保持体ＰＲｙ〜ＰＲｋに潜像を形成する領域である潜像形成領域の幅は、帯電器ＣＲｙ〜ＣＲｋの帯電領域の幅よりも狭く構成されている。現像ロールＧＲｙ〜ＧＲｋの現像領域の幅は、前記潜像形成装置ＬＨｙ〜ＬＨｋの潜像形成領域の幅よりも広く、前記帯電器ＣＲｙ〜ＣＲｋの帯電領域の幅よりも狭く構成されている。一次転写装置Ｔ１ｙ〜Ｔ１ｋの一次転写領域の幅は、前記現像ロールＧＲｙ〜ＧＲｋの幅よりも広く、前記帯電器ＣＲｙ〜ＣＲｋの帯電領域の幅よりも狭く構成されている。中間転写ベルトＢの幅は、前記一次転写装置Ｔ１ｙ〜Ｔ１ｋの一次転写領域の幅よりも広く、前記像保持体ＰＲｙ〜ＰＲｋの幅よりも狭く構成されている。
【００３６】
像保持体清掃器ＣＬｙ〜ＣＬｋによる像保持体清掃領域幅は、前記帯電器ＣＲｙ〜ＣＲｋの帯電領域の幅よりも広く、前記像保持体ＰＲｙ〜ＰＲｋの幅よりも狭く構成されている。二次転写装置Ｔ２のバックアップロールＴ２ａは、前記現像ロールＧＲｙ〜ＧＲｋの幅よりも広く、前記帯電器ＣＲｙ〜ＣＲｋの帯電領域の幅よりも狭く構成されている。記録シートＳの幅は、潜像形成装置ＬＨｙ〜ＬＨｋによる潜像形成領域の幅よりも狭く構成されている。二次転写装置Ｔ２の二次転写ロールＴ２ｂの二次転写領域の幅は、前記帯電器ＣＲｙ〜ＣＲｋの帯電領域の幅よりも広く、前記中間転写ベルトＢの幅よりも狭く構成されている。中間転写体清掃器ＣＬｂによる中間転写体清掃領域の幅は、前記一次転写装置Ｔ１ｙ〜Ｔ１ｋの幅よりも広く、前記中間転写ベルトＢの幅よりも狭く構成されている。二次転写装置用クリーナＣＬｔによる二次清掃領域の幅は、前記バックアップロールＴ２ａの幅よりも広く、前記二次転写ロールＴ２ｂの幅よりも狭く構成されている。
【００３７】
なお、実施例１では、像保持体ＰＲｙ〜ＰＲｋの幅が３６０ｍｍに設定され、帯電器ＣＲｙ〜ＣＲｋの帯電領域の幅が３１５ｍｍに設定され、潜像形成装置ＬＨｙ〜ＬＨｋによる潜像形成領域の幅が３０８ｍｍに設定されている。また、現像ロールＧＲｙ〜ＧＲｋの現像領域の幅が３０９ｍｍに設定され、一次転写装置Ｔ１ｙ〜Ｔ１ｋの一次転写領域の幅が３１２ｍｍに設定され、中間転写ベルトＢの幅が３４９．８ｍｍに設定されている。また、像保持体清掃器ＣＬｙ〜ＣＬｋによる像保持体清掃領域の幅が３２４ｍｍに設定され、二次転写装置Ｔ２のバックアップロールＴ２ａが３１２ｍｍに設定され、記録シートＳの最大幅がＡ３規格の大きさの短辺である２９７ｍｍに設定されている。また、二次転写装置Ｔ２の二次転写ロールＴ２ｂの幅が３２２ｍｍに設定され、中間転写体清掃器ＣＬｂによる中間転写体清掃領域の幅が３１５ｍｍに設定され、二次転写装置用クリーナＣＬｔによる二次清掃領域の幅が３１６ｍｍに設定されている。なお、これらの値に限定されず構成に応じた値をとることができる。
【００３８】
ここで、図４に示すように、潜像形成装置ＬＨｙ〜ＬＨｋの潜像形成領域と、現像ロールＧＲｙ〜ＧＲｋと、一次転写装置Ｔ１ｙ〜Ｔ１ｋと、バックアップロールＴ２ａと、中間転写体清掃器ＣＬｂによる清掃領域と、二次転写装置用清掃器ＣＬｔによる清掃領域と、二次転写ロールＴ２ｂと、像保持体清掃器ＣＬｙ〜ＣＬｋによる清掃領域と、中間転写ベルトＢと、像保持体ＰＲｙ〜ＰＲｋと、において、二次転写領域Ｑ４を通過する記録シートＳの幅に対応する幅の領域を通紙領域１と定義し、通紙領域１の幅方向外側の領域を非通紙領域２と定義する。なお、使用される記録シートＳの幅に応じて、通紙領域１、非通紙領域２の大きさは異なる。
【００３９】
（実施例１の制御部の説明）
図５は本発明の実施例１の画像形成装置の制御部の機能図、いわゆるブロック線図である。
図６は本発明の実施例１の画像形成装置の制御部のブロック線図であり、図５の続きのブロック線図である。
図５〜図６において、前記制御部Ｃは、外部との信号の入出力等を行う入出力インターフェースＩ／Ｏ、必要な処理を行うためのプログラムおよび情報等が記憶されたＲＯＭ：リードオンリーメモリ、必要なデータを一時的に記憶するためのＲＡＭ：ランダムアクセスメモリ、前記ＲＯＭに記憶されたプログラムに応じた処理を行うＣＰＵ：中央演算処理装置、ならびに発振器等を有する小型情報処理装置、いわゆるマイクロコンピュータにより構成されており、前記ＲＯＭに記憶されたプログラムを実行することにより種々の機能を実現することができる。
【００４０】
（制御部Ｃに接続された信号出力要素）
前記制御部Ｃには、操作部ＵＩ等の信号出力要素からの出力信号が入力されている。
前記操作部ＵＩは、複写開始釦の一例としてのコピー開始釦ＵＩ１、表示部ＵＩ２、入力釦の一例としての矢印釦ＵＩ３や、複数種類の大きさの原稿が混在する原稿束の読取りを実行することを設定する媒体種類混合印刷設定入力釦の一例としてのミックス設定入力釦ＵＩ４や、記録シートＳの両面に印刷することを設定する両面印刷設定入力釦ＵＩ５等を備えている。
【００４１】
（制御部Ｃに接続された被制御要素）
また、制御部Ｃは、主駆動源駆動回路Ｄ１、電源回路Ｅ、給紙装置駆動回路Ｄ２、搬送部材駆動回路Ｄ３、反転部材駆動回路Ｄ４、その他の図示しない制御要素に接続されており、それらの作動制御信号を出力している。
主駆動源駆動回路Ｄ１は、主駆動源Ｍ１を介して像保持体ＰＲｙ〜ＰＲｋや中間転写ベルトＢ等を回転駆動する。
前記電源回路Ｅは現像用電源回路Ｅａ、帯電用電源回路Ｅｂ、転写用電源回路Ｅｃ、定着用電源回路Ｅｄ等を有している。
【００４２】
現像用電源回路Ｅａは、現像装置Ｇｙ〜Ｇｋの現像ロールＧＲｙ〜ＧＲｋに現像電圧を印加する。
帯電用電源回路Ｅｂは、帯電器ＣＲｙ〜ＣＲｋそれぞれに像保持体ＰＲｙ〜ＰＲｋ表面を帯電させるための帯電電圧を印加する。
転写用電源回路Ｅｃは、１次転写装置Ｔ１ｙ〜Ｔ１ｋや２次転写ロールＴ２ｂに転写電圧を印加する。
定着用電源回路Ｅｄは、定着装置Ｆの加熱ロールＦｈにヒータ加熱用の電源を供給する。
給紙装置駆動回路Ｄ２は、給紙用駆動源Ｍ２を介して給紙装置Ｒｐ＋Ｒｓを駆動する。
搬送部材駆動回路Ｄ３は、搬送用駆動源Ｍ３を介して搬送ロールＲａや排紙ロールＲｈを駆動する。
反転部材駆動回路Ｄ４は、反転用駆動源Ｍ４を介して反転ロールＲｈ２を正逆回転駆動する。
【００４３】
（制御部Ｃの機能）
前記制御部Ｃは、前記信号出力要素からの入力信号に応じた処理を実行して、前記各制御要素に制御信号を出力する機能を有している。すなわち、制御部Ｃは次の機能を有している。
Ｃ１：画像形成動作制御手段
画像形成動作制御手段Ｃ１は、コピー開始釦ＵＩ１の入力または情報送信装置ＰＣからの画像情報等の入力に応じて、帯電器ＣＲｙ〜ＣＲｋ、一次転写装置Ｔ１ｙ〜Ｔ１ｋ、二次転写ロールＴ２ｂ、定着装置Ｆ等の動作を制御して、画像形成動作の一例としてのジョブを実行する。なお、実施例１の画像形成動作制御手段Ｃ１は、外部の情報送信装置ＰＣから画像情報が入力される際に、ミックス設定や両面印刷設定の情報が付加された情報を受信する。
Ｃ２：主駆動源制御手段
主駆動源制御手段Ｃ２は、主駆動源駆動回路Ｄ１を介して主駆動源Ｍ１の駆動を制御し、像保持体ＰＲｙ〜ＰＲｋ等の駆動を制御する。
【００４４】
Ｃ３：電源回路制御手段
電源回路制御手段Ｃ３は、現像用電源回路制御手段Ｃ３Ａと、帯電用電源回路制御手段Ｃ３Ｂと、転写用電源回路制御手段Ｃ３Ｃと、定着用電源回路制御手段Ｃ３Ｄとを有し、電源回路Ｅの作動を制御して、各部材への電圧印加や電源供給を制御する。
Ｃ３Ａ：現像用電源回路制御手段
現像用電源回路制御手段Ｃ３Ａは、現像用電源回路Ｅａを制御して現像装置Ｇｙ〜Ｇｋの現像ロールＧＲｙ〜ＧＲｋに印加する現像電圧を制御する。
Ｃ３Ｂ：帯電用電源回路制御手段
帯電用電源回路制御手段Ｃ３Ｂは、帯電用電源回路Ｅｂを制御して、帯電器ＣＲｙ〜ＣＲｋに印加する帯電電圧を制御する。
【００４５】
Ｃ３Ｃ：転写用電源回路制御手段
転写用電源回路制御手段Ｃ３Ｃは、転写用電源回路Ｅｃを制御して、１次転写装置Ｔ１ｙ〜Ｔ１ｋに印加する１次転写電圧や、２次転写ロールＴ２ｂに印加する２次転写電圧を制御する。
Ｃ３Ｄ：定着用電源回路制御手段
定着用電源回路制御手段Ｃ３Ｄは、定着用電源回路Ｅｄを制御して、定着装置Ｆの加熱ロールＦｈのヒータの温度制御、すなわち、定着温度の制御を行う。
Ｃ４：搬送装置制御手段
搬送装置制御手段Ｃ４は、給紙制御手段Ｃ４Ａと、搬送制御手段Ｃ４Ｂと、反転制御手段Ｃ４Ｃとを有し、画像形成動作時に、記録シートＳに対する両面印刷や排出トレイＴＲｈ，ＴＲｈ２，ＴＲｈ３の指定、設定に応じて、媒体搬送装置ＳＨ＋Ｒａ〜Ｒａ２＋Ｒｒ＋ＧＴの作動を制御して、各搬送部材Ｒｐ，Ｒｓ，Ｒａ，ＲｈやゲートＧＴ１〜ＧＴ３を制御し、記録シートＳの搬送を制御する。
【００４６】
Ｃ４Ａ：給紙制御手段
給紙制御手段Ｃ４Ａは、前記給紙装置駆動回路Ｄ２を介して給紙用駆動源Ｍ２の駆動を制御し、給紙装置Ｒｐ＋Ｒｓによる記録シートＳの給紙を制御する。
Ｃ４Ｂ：搬送制御手段
搬送制御手段Ｃ４Ｂは、前記搬送部材駆動回路Ｄ３を介して搬送用駆動源Ｍ３の駆動を制御し、搬送ロールＲａや排紙ロールＲｈによる記録シートＳの搬送を制御する。
Ｃ４Ｃ：反転制御手段
反転制御手段Ｃ４Ｃは、反転部材駆動回路Ｄ４を介して反転用駆動源Ｍ４の駆動を制御し、反転ロールＲｈ２による排紙や、反転路ＳＨ８への搬送を制御する。
【００４７】
図７は制御部による処理の説明図で、記録シートと、画像形成領域と、画像形成領域外と、エリアと、カット領域と、トナーバンドの関係を示した図であり、図７Ａは画像形成領域と画像形成領域外とエリアの説明図、図７Ｂは画像形成領域と画像形成領域外と記録シートとトナーバンドの説明図、図７Ｃは画像形成領域とカット領域と記録シートとトナーバンドの説明図である。
なお、図７において、記録シートＳの画像形成領域３には、像保持体ＰＲｙ〜ＰＲｋの画像形成領域３に形成されたトナー像が記録される。画像形成領域外４は、画像形成領域３の外側の領域である。
【００４８】
Ｃ５：印刷設定記憶手段
印刷設定記憶手段Ｃ５は、ミックス設定記憶手段Ｃ５Ａと、両面印刷設定記憶手段Ｃ５Ｂと、裁断設定記憶手段Ｃ５Ｃと、を有し、印刷設定を記憶する。
Ｃ５Ａ：ミックス設定記憶手段
媒体種類混合印刷設定記憶手段の一例としてのミックス設定記憶手段Ｃ５Ａは、媒体種類混合印刷設定の一例としてのミックス設定がされているか否かを記憶する。実施例１のミックス設定記憶手段Ｃ５Ａは、ミックス設定入力釦ＵＩ４による入力がなされた場合または情報送信装置ＰＣから情報にミックス設定の情報が含まれている場合に、複数種類の大きさの記録シートＳに印刷が実行されることを記憶する。
Ｃ５Ｂ：両面印刷設定記憶手段
両面印刷設定記憶手段Ｃ５Ｂは、媒体Ｓの両面に画像を印刷する両面印刷の設定がされているか否かを記憶する。実施例１の両面印刷設定記憶手段Ｃ５Ｂは、両面印刷設定入力釦ＵＩ５による入力がなされた場合または情報送信装置ＰＣからの情報に両面印刷設定の情報が含まれている場合に、両面印刷が行われることを記憶する。
Ｃ５Ｃ：裁断設定記憶手段
裁断設定記憶手段Ｃ５Ｃは、画像形成領域３の外側且つ媒体の媒体幅の内側の領域である画像形成外通紙領域の一例としてのカット領域Ｓｃを、画像記録後の記録シートＳから裁断する設定の一例としてのカット設定がされているか否かを記録する。実施例１の裁断設定記憶手段Ｃ５Ｃは、前記情報送信装置ＰＣからの情報にカット設定の情報が含まれている場合に、カット設定がされていると記憶する。
【００４９】
Ｃ６：印刷設定判別手段
印刷設定判別手段Ｃ６は、ミックス設定判別手段Ｃ６Ａと、両面印刷設定判別手段Ｃ６Ｂと、裁断設定判別手段Ｃ６Ｃと、を有し、印刷設定を判別する。
Ｃ６Ａ：ミックス設定判別手段
媒体種類混合印刷設定判別手段の一例としてのミックス設定判別手段Ｃ６Ａは、ミックス設定がされているか否かを判別する。実施例１のミックス設定判別手段Ｃ６Ａは、前記ミックス設定記憶手段Ｃ５Ａの記憶情報に基づいて、ミックス設定がされているか否かを判別する。
Ｃ６Ｂ：両面印刷設定判別手段
両面印刷設定判別手段Ｃ６Ｂは、両面印刷設定がされているか否かを判別する。実施例１の両面印刷設定判別手段Ｃ６Ｂは、前記両面印刷設定記憶手段Ｃ５Ｂの記憶情報に基づいて、両面印刷設定がされているか否か判別する。
Ｃ６Ｃ：裁断設定判別手段
裁断設定判別手段Ｃ６Ｃは、カット設定がされているか否かを判別する。実施例１の裁断設定判別手段は、前記裁断設定記憶手段Ｃ５Ｃの記憶情報に基づいて、カット設定がされているか否かを判別する。
【００５０】
Ｃ７：画像濃度判別手段
画像濃度判別手段Ｃ７は、エリア分割手段Ｃ７Ａと、エリア濃度演算手段Ｃ７Ｂと、エリア判別濃度記憶手段Ｃ７Ｃと、高濃度エリア判別手段Ｃ７Ｄと、高濃度エリアカウント手段Ｃ７Ｅと、基準エリア数記憶手段Ｃ７Ｆと、エリア数判別手段Ｃ７Ｇと、を有し、記録シートＳに形成される画像の画像濃度が、予め設定された判別濃度Ｃｄに比べて高いか否かを判別する。実施例１の画像濃度判別手段Ｃ７は、記録シートＳを縦に４等分、横に４等分して分割されたエリアＳ１〜Ｓ１６において、高濃度のエリアが所定数以上の場合に、記録シートＳに形成される画像の画像濃度が、予め設定された判別濃度Ｃｄに比べて高いと判別する。
Ｃ７Ａ：エリア分割手段
領域分割手段の一例としてのエリア分割手段Ｃ７Ａは、印刷対象頁の印刷情報を、記録シートＳの領域の一例としてのエリアＳ１〜Ｓ１６に対応した印刷情報に分割する。実施例１のエリア分割手段Ｃ７Ａは、図７Ａに示すように、印刷情報に基づいて印刷される記録シートＳにおいて、前記記録シートＳを縦に４等分、横に４等分して分割されたエリアＳ１〜Ｓ１６に対応した印刷情報に分割する。
なお、実施例１のエリア分割手段Ｃ７Ａは、印刷情報を、印刷される記録シートＳのエリアＳ１〜Ｓ１６に対応した印刷情報に分割していたが、これに限定されず、エリアの面積を所定の広さとしてエリア数を増減させたり、記録シートＳに関わらず予め固定したエリアに対応する印刷情報に分割する構成にすること等が可能である。
【００５１】
Ｃ７Ｂ：エリア濃度演算手段
領域濃度演算手段の一例としてのエリア濃度演算手段Ｃ７Ｂは、前記エリア分割手段Ｃ７Ａにより分割された各エリアＳ１〜Ｓ１６の印刷情報に基づいて、各エリアＳ１〜Ｓ１６の画像濃度を演算する。
Ｃ７Ｃ：エリア判別濃度記憶手段
領域判別濃度記憶手段の一例としてのエリア判別濃度記憶手段Ｃ７Ｃは、エリアＳ１〜Ｓ１６の画像濃度が高濃度か否かを判別するエリア判別濃度Ｃｄ１を記憶する。実施例１の高濃度判別値記憶手段Ｃ７Ｃは、エリア判別濃度Ｃｄ１の一例として、濃度５０％を記憶する。
Ｃ７Ｄ：高濃度エリア判別手段
高濃度領域判別手段の一例としての高濃度エリア判別手段Ｃ７Ｄは、前記エリア判別濃度記憶手段Ｃ７Ｃが記憶するエリア判別濃度Ｃｄ１に基づいて、各エリアＳ１〜Ｓ１６の濃度が高濃度か否かを判別する。実施例１の高濃度エリア判別手段Ｃ７Ｄは、各エリアＳ１〜Ｓ１６の画像濃度が、エリア判別濃度Ｃｄ１以上のときに、高濃度であると判別する。
Ｃ７Ｅ：高濃度エリアカウント手段
高濃度領域計測手段の一例としての高濃度エリアカウント手段Ｃ７Ｅは、前記高濃度エリア判別手段Ｃ７Ｄにより高濃度と判別されたエリアＳ１〜Ｓ１６の数を数える。
【００５２】
Ｃ７Ｆ：基準エリア数記憶手段
基準領域数記憶手段の一例としての基準エリア数記憶手段Ｃ７Ｆは、画像濃度を判別するための基準となる基準エリア数Ｃｎを記憶する。実施例１の基準エリア数記憶手段Ｃ７Ｆは、基準エリア数Ｃｎとして８を記憶する。
なお、前記基準エリア数Ｃｎは、８に限定されず、エリアＳ１〜Ｓ１６を構成する数に基づいて、例えば、９や１０など、設計や構成に応じた値を用いることができる。
Ｃ７Ｇ：エリア数判別手段
領域数判別手段の一例としてのエリア数判別手段Ｃ７Ｇは、前記高濃度エリアカウント手段Ｃ７Ｅにより数えられたエリア数が前記基準エリア数記憶手段Ｃ７Ｆの記憶する基準エリア数Ｃｎに比べ、大きいか否か判別する。
【００５３】
Ｃ８：トナーバンド作成指示手段
濃度差低減画像作成指示手段の一例としてのトナーバンド作成指示手段Ｃ８は、裁断無時トナーバンド作成指示手段Ｃ８Ａと、裁断有時トナーバンド作成指示手段Ｃ８Ｂと、を有し、前記高濃度判別手段Ｃ７により高画像濃度であると判別された場合に、前記潜像形成装置ＬＨｙ〜ＬＨｋにより、画像形成領域３の外側に、画像形成領域３と画像形成領域外４との濃度差を低減する濃度差低減用画像の一例としてのトナーバンドＴＢを形成させる作成指示を出す。実施例１のトナーバンド作成指示手段Ｃ８は、前記濃度判別手段Ｃ７により画像が高画像濃度であると判別された場合、すなわち、前記エリア数判別手段Ｃ７Ｇにより高濃度のエリアＳ１〜Ｓ１６のエリア数が基準エリア数Ｃｎよりも大きいと判別された場合に、トナーバンドＴＢの作成指示を出す。なお、実施例１では、トナーバンドＴＢの作成指示に基づいて、画像形成動作制御手段Ｃ１により無模様可視像の一例としてのベタによるトナーバンドＴＢが作成される。
【００５４】
Ｃ８Ａ：裁断無時トナーバンド作成指示手段
裁断無時濃度差低減画像作成指示手段の一例としての裁断無時トナーバンド作成指示手段Ｃ８Ａは、前記裁断設定判別手段Ｃ６Ｃの判別結果に基づいて、カット設定が無い場合に、トナーバンドＴＢの作成指示を出す。実施例１の裁断無時トナーバンド作成指示手段Ｃ８Ａは、前記裁断設定判別手段Ｃ６Ｃによりカット設定がされていないと判別された場合に、図７Ｂに示すように、非通紙領域２にトナーバンドＴＢを作成する指示を出す。
Ｃ８Ｂ：裁断有時トナーバンド作成指示手段
裁断有時濃度差低減画像作成指示手段の一例としての裁断有時トナーバンド作成指示手段Ｃ８Ｂは、前記裁断設定判別手段Ｃ６Ｃの判別結果に基づいて、カット設定が有る場合に、トナーバンドＴＢの作成指示を出す。実施例１の裁断有時トナーバンド作成指示手段Ｃ８Ｂは、前記裁断設定判別手段Ｃ６Ｃによりカット設定がされていると判別された場合に、図７Ｃに示すように、カット領域Ｓｃと、非通紙領域２と、にトナーバンドＴＢを作成する指示を出す。なお、カット領域Ｓｃは情報送信装置ＰＣからの情報に含まれる裁断位置印Ｓｔの位置情報に基づいて定まる。
【００５５】
Ｃ９：反転媒体記憶手段
反転媒体記憶手段Ｃ９は、反転路を通過中の媒体の媒体幅を記憶する。すなわち、反転媒体記憶手段Ｃ９は、両面印刷設定がされている場合に、転写領域Ｑ４で一面目の転写が行われ、もう一度転写領域Ｑ４を通過する記録シートＳの幅を記憶する。実施例１の反転媒体記憶手段Ｃ９は、給紙された記録シートＳの幅に基づいて、一面目に印刷がされた記録シートＳの幅を記憶する。なお、実施例１の反転媒体記憶手段Ｃ９は、反転路ＳＨ８を通過する記録シートＳが複数ある場合には、そのような記録シートＳ全てについて幅を記憶する。
【００５６】
Ｃ１０：トナーバンド印刷情報記憶手段
トナーバンド印刷情報記憶手段Ｃ１０は、トナーバンド印刷済み情報記憶手段Ｃ１０Ａと、トナーバンド印刷済み媒体幅記憶手段Ｃ１０Ｂと、を有し、トナーバンドＴＢが印刷された記録シートＳに関する情報を記憶する。
Ｃ１０Ａ：トナーバンド印刷済み情報記憶手段
トナーバンド印刷済み情報記憶手段Ｃ１０Ａは、トナーバンドＴＢが印刷されたか否かを記憶する
Ｃ１０Ｂ：トナーバンド印刷済み媒体幅記憶手段
印刷済み媒体情報記憶手段の一例としてのトナーバンド印刷済み媒体幅記憶手段Ｃ１０Ｂは、トナーバンドＴＢが作成された場合に、トナーバンドＴＢが形成された記録シートＳの媒体搬送方向に垂直な媒体幅方向の長さである媒体幅を記憶する。
【００５７】
Ｃ１１：トナーバンド作成指示有無判別手段
トナーバンド作成指示有無判別手段Ｃ１１は、前記トナーバンド作成指示手段Ｃ８によるトナーバンドＴＢの作成指示があるか否か判別する。
【００５８】
Ｃ１２：反転中媒体有無判別手段
反転中媒体有無判別手段Ｃ１２は、両面印刷設定がされている場合に、反転中の媒体Ｓがあるか否か判別する。実施例１の反転中媒体有無判別手段Ｃ１２は、前記反転媒体幅記憶手段Ｃ９が記録シートＳの幅を記憶しているときは、反転中の記録シートＳ、すなわち、転写領域Ｑ４で一面目の転写が行われ、もう一度転写領域Ｑ４を通過する記録シートＳがあると判別し、記録シートＳの幅を記憶していないときは、転写領域Ｑ４で一面目の転写が行われ、もう一度転写領域Ｑ４を通過する記録シートＳがないと判別する。
【００５９】
Ｃ１３：反転媒体幅判別手段
反転媒体幅判別手段Ｃ１３は、トナーバンドＴＢが作成される記録シートＳの媒体幅が、反転媒体記憶手段Ｃ９に記憶された前記反転路ＳＨ８を反転中の媒体幅よりも小さいか否かを判別する。すなわち、反転媒体幅判別手段Ｃ１３は、反転中の記録シートＳの幅が印刷対象の記録シートＳの幅以上か否かを判別する。実施例１の反転媒体幅判別手段Ｃ１３は、反転媒体記憶手段Ｃ９が記憶する記録シートＳの幅が、トナーバンド作成対象の記録シートＳの幅以上か否かを判別する。なお、実施例１の反転媒体幅判別手段Ｃ１３は、反転媒体記憶手段Ｃ９が記憶する記録シートＳの幅が複数ある場合には、反転媒体記憶手段Ｃ９が記憶する全ての記録シートＳの幅が、トナーバンド作成対象の記録シートＳの幅以上か否かを判別する。
【００６０】
Ｃ１４：トナーバンド作成可否決定手段
濃度差低減用画像作成可否決定手段の一例としてのトナーバンド作成可否決定手段Ｃ１４は、片面印刷用作成可否決定手段Ｃ１４Ａと、両面印刷用作成可否決定手段Ｃ１４Ｂと、を有し、前記トナーバンドＴＢが作成される記録シートＳの媒体幅が、前記反転中の記録シートＳの媒体幅よりも小さい場合に、前記トナーバンドＴＢの作成を不許可とする決定をする。
Ｃ１４Ａ：片面印刷用作成可否決定手段
片面印刷用作成可否決定手段Ｃ１４Ａは、両面印刷設定がされていない場合に、前記トナーバンド作成指示手段Ｃ８による決定結果に基づいて、トナーバンドＴＢの作成許可の決定をする。実施例１の片面印刷用トナーバンド作成可否決定手段Ｃ１４Ａは、前記トナーバンド作成指示手段Ｃ８によりトナーバンドＴＢの作成指示が出された場合に、トナーバンドＴＢの作成許可の決定をする。
Ｃ１４Ｂ：両面印刷用作成可否決定手段
両面印刷用作成可否決定手段Ｃ１４Ｂは、前記反転媒体幅判別手段Ｃ１３の判別結果に基づいて、トナーバンドＴＢの作成許可又はトナーバンドＴＢの作成不許可の決定をする。実施例１の両面印刷用可否決定手段Ｃ１４Ｂは、トナーバンドＴＢの作成の指示があった場合で、前記反転媒体幅判別手段Ｃ１３により、印刷対象の媒体Ｓの幅が反転中の媒体Ｓの幅未満であると判別された場合に、トナーバンドＴＢの作成許可の決定をし、印刷対象の媒体Ｓの幅が反転中の媒体Ｓの幅未満でないと判別された場合に、トナーバンドＴＢの作成不許可の決定をする。
【００６１】
Ｃ１５：媒体面判別手段
媒体面判別手段Ｃ１５は、両面印刷設定がされている場合に、印刷対象頁が印刷された面が、媒体Ｓの一面目であるか否かを判別する。
【００６２】
Ｃ１６：反転媒体更新手段
反転媒体更新手段Ｃ１６は、前記媒体面判別手段Ｃ１５の判別結果に基づいて、反転媒体記憶手段Ｃ９の記憶する記憶情報を更新する。実施例１の反転媒体更新手段Ｃ１６は、前記媒体面判別手段Ｃ１５により、印刷対象頁が印刷された面が媒体Ｓの一面目と判別された場合に、前記記録シートＳの幅情報を反転媒体記憶手段Ｃ９に記憶させる更新を行い、印刷対象頁が印刷される面が媒体Ｓの一面目でないと判別された場合、すなわち、二面目と判別された場合には、反転媒体記憶手段Ｃ９に記憶されていた記憶情報から、判別された記録シートＳの幅情報を削除する更新を行う。
【００６３】
Ｃ１７：クリーニングサイクル制御手段
清掃制御手段の一例としてのクリーニングサイクル制御手段Ｃ１７は、頁判別手段Ｃ１７Ａと、対象頁前作成有無判別手段Ｃ１７Ｂと、印刷済み情報有無判別手段Ｃ１７Ｃと、バンド作成時媒体幅判別手段Ｃ１７Ｄと、画像形成動作中断手段Ｃ１７Ｅと、清掃可能判別手段Ｃ１７Ｆと、清掃実行制御手段Ｃ１７Ｇと、トナーバンド情報削除手段Ｃ１７Ｈと、画像形成動作再開手段Ｃ１７Ｉと、を有し、画像が記録される媒体Ｓの媒体幅が、濃度差低減用画像ＴＢが作成された媒体幅よりも大きい場合に、前記媒体Ｓに対する画像形成を中断して、二次転写装置Ｔ２を空回転させて清掃を行う。
【００６４】
Ｃ１７Ａ：頁判別手段
頁判別手段Ｃ１７Ａは、ミックス設定がされている場合に、印刷対象頁が最初の頁でないか否か判別する。すなわち、実施例１の頁判別手段Ｃ１７Ａは、印刷対象頁より前に画像形成動作が行われたか否かを判別する。
【００６５】
Ｃ１７Ｂ：対象頁前作成有無判別手段
対象頁前作成有無判別手段Ｃ１７Ｂは、印刷対象頁より前の頁にトナーバンドＴＢの作成について最終決定されたか否かを判別する。実施例１の対象頁前作成有無判別手段は、印刷対象頁の一つ前の頁に対して、前記トナーバンド作成指示手段Ｃ８による決定がない場合、又は前記トナーバンド作成指示手段Ｃ８による決定があり且つ前記トナーバンド作成可否決定手段Ｃ１４による決定があった場合に、トナーバンドＴＢの作成について最終決定がされたと判別する。
【００６６】
Ｃ１７Ｃ：印刷済み情報有無判別手段
印刷済み情報有無判別手段Ｃ１７Ｃは、前記トナーバンド印刷済み情報記憶手段Ｃ１０Ａの記憶情報に基づいて、印刷対象頁より前にトナーバンドＴＢが印刷されたか否かを判別する。実施例１の印刷済み情報有無判別手段Ｃ１７Ｃは、前記トナーバンド印刷済み情報記憶手段Ｃ１０Ａがトナーバンド印刷済み情報を記憶している場合に、印刷対象頁より前にトナーバンドＴＢが印刷されたと判別し、トナーバンド印刷済み情報を記憶していない場合には、印刷対象頁より前にトナーバンドＴＢが印刷されていないと判別する。
【００６７】
Ｃ１７Ｄ：バンド作成時媒体幅判別手段
媒体幅判別手段の一例としてのバンド作成時媒体幅判別手段Ｃ１７Ｄは、画像が記録される媒体Ｓの媒体幅が、前記印刷済み媒体情報記憶手段Ｃ１０Ｂに記憶された媒体幅に対して大きいか否かを判別する。実施例１のバンド作成時媒体幅判別手段Ｃ１７Ｄは、印刷対象頁の記録シートＳの幅が、前記トナーバンド印刷済み媒体幅記憶手段Ｃ１０Ｂが記憶する記録シートＳの幅より大きいか否かを判別する。
【００６８】
Ｃ１７Ｅ：画像形成動作中断手段
画像形成動作中断手段Ｃ１７Ｅは、前記バンド作成時媒体幅判別手段Ｃ１７Ｄの判別結果に基づいて、印刷対象頁の画像形成動作を中断する。実施例１の画像形成動作中断手段Ｃ１７Ｅは、前記バンド作成時媒体幅判別手段Ｃ１７Ｄにより、印刷対象頁の記録シートＳの幅が、前記トナーバンド印刷済み媒体幅記憶手段Ｃ１０Ｂが記憶する記録シートＳの幅よりも大きいと判別された場合に、前記画像形成動作制御手段Ｃ１により制御された印刷対象頁の画像形成動作を中断する。
【００６９】
Ｃ１７Ｆ：清掃可能判別手段
清掃可能判別手段Ｃ１７Ｆは、清掃器ＣＬｙ〜ＣＬｋ，ＣＬｂ，ＣＬｔによる清掃が可能か否かを判別する。実施例１の清掃可能判別手段Ｃ１７Ｆは、前記画像形成動作中断手段Ｃ１７Ｅにより中断される前の最後の印刷、排出が完了した場合に、像保持体清掃器ＣＬｙ〜ＣＬｋ，中間転写体清掃器ＣＬｂ，二次転写装置装置用クリーナＣＬｔによる清掃、すなわち、クリーニングサイクルの開始が可能であると判別する。
【００７０】
Ｃ１７Ｇ：清掃実行制御手段
清掃実行制御手段Ｃ１７Ｇは、前記清掃可能判別手段Ｃ１７Ｆの判別結果に基づいて、清掃器ＣＬｙ〜ＣＬｋ，ＣＬｂ，ＣＬｔによる清掃を行う。実施例１の清掃実行制御手段Ｃ１７Ｇは、前記清掃可能判別手段Ｃ１７Ｆによりクリーニングサイクルの開始が可能であると判別されると、画像を形成せずに各部材ＰＲｙ〜ＰＲｋ，Ｂ，Ｔ２等を所定時間空回転させて、像保持体清掃器ＣＬｙ〜ＣＬｋ，中間転写体清掃器ＣＬｂ，二次転写装置装置用クリーナＣＬｔにより、像保持体ＰＲｙ〜ＰＲｋ、中間転写体ベルトＢ、二次転写ロールＴ２ｂの清掃を行う。
【００７１】
Ｃ１７Ｈ：トナーバンド情報削除手段
トナーバンド情報削除手段Ｃ１７Ｈは、トナーバンド印刷情報記憶手段Ｃ１０が記憶する情報を削除する。実施例１のトナーバンド情報削除手段Ｃ１７Ｈは、クリーニングサイクルが実行されると、トナーバンド印刷情報記憶手段Ｃ１０におけるトナーバンドＴＢが印刷された記録シートＳに関する記憶情報を削除する。
Ｃ１７Ｉ：画像形成動作再開手段
画像形成動作再開手段Ｃ１７Ｉは、前記画像形成動作中断手段Ｃ１７Ｅにより中断された画像形成動作を再開する。
【００７２】
（実施例１の流れ図の説明）
次に、実施例１の複合機Ｕにおける制御の流れを流れ図、いわゆるフローチャートを使用して説明する。
（トナーバンド作成可否処理のフローチャートの説明）
図８は実施例１のトナーバンド作成可否処理のフローチャートの説明図である。
図８のフローチャートの各ステップＳＴの処理は、前記複合機Ｕの制御部Ｃに記憶されたプログラムに従って行われる。また、この処理は複合機Ｕの他の各種処理と並行して実行される。
図８に示すフローチャートは複合機Ｕの電源投入により開始される。
【００７３】
図８のＳＴ１において、ジョブが開始されたか否かを判別する。イエス（Ｙ）の場合はＳＴ２に移り、ノー（Ｎ）の場合はＳＴ１を繰り返す。
ＳＴ２において、ミックス設定がされているか否かを判別する。イエス（Ｙ）の場合はＳＴ３に移り、ノー（Ｎ）の場合はＳＴ１に戻る。
ＳＴ３において、両面印刷設定がされているか否かを判別する。イエス（Ｙ）の場合はＳＴ４に移り、ノー（Ｎ）の場合はＳＴ１５に移る。
【００７４】
ＳＴ４において、後述する図９に示すトナーバンド作成指示処理を実行し、ＳＴ５に移る。
ＳＴ５において、トナーバンドＴＢの作成指示があるか否かを判別する。イエス（Ｙ）の場合はＳＴ６に移り、ノー（Ｎ）の場合はＳＴ１１に移る。
ＳＴ６において、反転中の記録シートＳがあるか否かを判別する。イエス（Ｙ）の場合はＳＴ７に移り、ノー（Ｎ）の場合はＳＴ１１に移る。
【００７５】
ＳＴ７において、印刷対象の記録シートＳの幅が反転中の記録シートＳの幅未満であるか否かを判別する。イエス（Ｙ）の場合はＳＴ８に移り、ノー（Ｎ）の場合はＳＴ９に移る。
ＳＴ８において、トナーバンドＴＢの作成不許可の決定をし、ＳＴ１１に移る。
ＳＴ９において、トナーバンドＴＢの作成許可の決定をし、ＳＴ１０に移る。
ＳＴ１０において、次の（１）〜（２）の処理を実行し、ＳＴ１１に移る。
（１）トナーバンド印刷済み情報を記憶する。
（２）トナーバンド印刷時の記録シートＳの幅を記憶する。
【００７６】
ＳＴ１１において、印刷対象頁が印刷される面が記録シートＳの一面目か否かを判別する。イエス（Ｙ）の場合はＳＴ１２に移り、ノー（Ｎ）の場合はＳＴ１３に移る。
ＳＴ１２において、印刷対象頁が印刷される記録シートＳの幅を記憶更新し、ＳＴ１４に移る。
ＳＴ１３において、印刷対象頁が印刷される記録シートＳの幅を削除更新し、ＳＴ１４に移る。
ＳＴ１４において、次頁があるか否かを判別する。イエス（Ｙ）の場合はＳＴ４に移り、ノー（Ｎ）の場合はＳＴ１に戻る。
【００７７】
ＳＴ１５において、後述する図９に示すトナーバンド作成指示処理を実行し、ＳＴ１６に移る。
ＳＴ１６において、トナーバンドＴＢの作成指示があるか否かを判別する。イエス（Ｙ）の場合はＳＴ１７に移り、ノー（Ｎ）の場合はＳＴ１９に移る。
ＳＴ１７において、トナーバンドＴＢの作成許可の決定をし、ＳＴ１８に移る。
ＳＴ１８において、次の（１）〜（２）の処理を実行し、ＳＴ１９に移る。
（１）トナーバンド印刷済み情報を記憶する。
（２）トナーバンド印刷時の記録シートＳの幅を記憶する。
ＳＴ１９において、次頁があるか否かを判別する。イエス（Ｙ）の場合はＳＴ１５に移り、ノー（Ｎ）の場合はＳＴ１に戻る。
【００７８】
（トナーバンド作成指示処理のフローチャートの説明）
図９は実施例１のトナーバンド作成指示処理のフローチャートの説明図であり、図８のＳＴ４，ＳＴ１５のサブルーチンの説明図である。
図９のフローチャートの各ステップＳＴの処理は、前記複合機Ｕの制御部Ｃに記憶されたプログラムに従って行われる。また、この処理は複合機Ｕの他の各種処理と並行して実行される。
図９に示すフローチャートは黄色Ｙ用のトナーバンド作成指示処理であるが、他の色Ｍ，Ｃ，Ｋも同様に処理されるので、その詳細な説明は省略する。
【００７９】
図９のＳＴ２１において、印刷情報を取得し、ＳＴ２２に移る。
ＳＴ２２において、印刷情報を１６分割し、ＳＴ２３に移る。
ＳＴ２３において、各エリアの画像濃度を演算し、ＳＴ２４に移る。
ＳＴ２４において、各エリアの画像濃度の値がエリア判別濃度Ｃｄ１以上か否かを判別し、ＳＴ２５に移る。
ＳＴ２５において、高濃度のエリア数を数え、ＳＴ２６に移る。
【００８０】
ＳＴ２６において、高濃度のエリア数が基準エリア数Ｃｎ以上か否かを判別する。イエス（Ｙ）の場合はＳＴ２７に移り、ノー（Ｎ）の場合はトナーバンド作成指示処理を終了して図８のトナーバンド作成可否処理に戻る。
ＳＴ２７において、カット設定がされているか否かを判別する。イエス（Ｙ）の場合はＳＴ２８に移り、ノー（Ｎ）の場合はＳＴ２９に移る。
ＳＴ２８において、カット領域Ｓｃと非通紙領域２のトナーバンドＴＢの作成指示を出して、トナーバンド作成指示処理を終了して図８のトナーバンド作成可否処理に戻る。
ＳＴ２９において、非通紙領域２のトナーバンドＴＢの作成指示を出し、トナーバンド作成指示処理を終了して図８のトナーバンド作成可否処理に戻る。
【００８１】
（クリーニングサイクル処理のフローチャートの説明）
図１０は実施例１のクリーニングサイクル処理のフローチャートの説明図である。
図１０のフローチャートの各ステップＳＴの処理は、前記複合機Ｕの制御部Ｃに記憶されたプログラムに従って行われる。また、この処理は複合機Ｕの他の各種処理と並行して実行される。
図１０に示すフローチャートは複合機Ｕの電源投入により開始される。
【００８２】
図１０のＳＴ３１において、ジョブが開始されたか否かを判別する。イエス（Ｙ）の場合はＳＴ３２に移り、ノー（Ｎ）の場合はＳＴ３１を繰り返す。
ＳＴ３２において、ミックス設定がされているか否かを判別する。イエス（Ｙ）の場合はＳＴ３３に移り、ノー（Ｎ）の場合はＳＴ１に戻る。
ＳＴ３３において、印刷対象頁が最初の頁でないか否かを判別する。イエス（Ｙ）の場合はＳＴ３４に移り、ノー（Ｎ）の場合はＳＴ４３に移る。
【００８３】
ＳＴ３４において、トナーバンドＴＢの作成に関して最終決定されたか否かを判別する。イエス（Ｙ）の場合はＳＴ３５に移り、ノー（Ｎ）の場合はＳＴ３４を繰り返す。
ＳＴ３５において、印刷対象頁より前にトナーバンドＴＢが印刷されたか否かを判別する。イエス（Ｙ）の場合はＳＴ３６に移り、ノー（Ｎ）の場合はＳＴ４３に移る。
ＳＴ３６において、印刷対象頁の記録シートＳの幅がトナーバンド印刷時の幅より大きいか否かを判別する。イエス（Ｙ）の場合はＳＴ３７に移り、ノー（Ｎ）の場合はＳＴ４３に移る。
【００８４】
ＳＴ３７において、印刷対象頁の画像形成動作を中断し、ＳＴ３８に移る。
ＳＴ３８において、清掃が可能か否かを判別する。イエス（Ｙ）の場合はＳＴ３９に移り、ノー（Ｎ）の場合はＳＴ３８を繰り返す。
ＳＴ３９において、清掃を行い、ＳＴ４０に移る。
ＳＴ４０において、清掃が終了したか否かを判別する。イエス（Ｙ）の場合はＳＴ４１に移り、ノー（Ｎ）の場合はＳＴ４０を繰り返す。
【００８５】
ＳＴ４１において、トナーバンド印刷済み情報を削除し、ＳＴ４２に移る。
ＳＴ４２において、画像形成動作を再開し、ＳＴ４３に移る。
ＳＴ４３において、次頁があるか否かを判別する。イエス（Ｙ）の場合はＳＴ３４に移り、ノー（Ｎ）の場合はＳＴ３１に戻る。
【００８６】
（実施例１の作用）
前記構成を備えた実施例１の複合機Ｕにおいて、ミックス設定入力釦ＵＩ４の入力によりミックス設定が行われると、大きさの異なる複数の原稿Ｇｉに基づいた複写が行われる。
すなわち、ミックス設定がされた複合機Ｕにおいて、大きさの異なる複数の原稿Ｇｉが原稿給紙部ＴＧ１に積載されて、コピー開始釦ＵＩ１が押されると、原稿Ｇｉが原稿給紙部ＴＧ1から給紙され、前記原稿読取り面ＰＧ上の原稿読取位置を通過して、原稿排紙部ＴＧ2に排出される際に、原稿Ｇｉの画像情報が読取られ、印刷情報に変換される。
また、情報送信装置ＰＣから、画像情報とミックス設定入力の情報が入力された場合には、画像情報がミックス設定入力の情報に基づいて、大きさの異なる記録シートＳに印刷される印刷情報に変換される。
【００８７】
そして、実施例１の複合機Ｕでは、前記印刷情報に基づいて、各色Ｙ〜Ｋの画像濃度が求められる。例えば、写真原稿のように、高画像濃度判別手段Ｃ７により高画像濃度と判別された場合には、トナーバンドＴＢの作成指示が出され、図４において、像保持体ＰＲｙ〜ＰＲｋの通紙領域１に印刷用の潜像が形成されると共に、像保持体ＰＲｙ〜ＰＲｋの非通紙領域２にトナーバンドＴＢの潜像が形成され、現像ロールＧＲｙ〜ＧＲｋに保持された現像剤でトナー像に現像される。現像されたトナー像は、一次転写装置Ｔ１ｙ〜Ｔ１ｋ、中間転写ベルトＢ等により、転写領域Ｑ４まで搬送される。そして、二次転写装置Ｔ２により、通紙領域１に形成されたトナー像は記録シートＳに転写され、非通紙領域２に形成されたトナーバンドは、二次転写ロールＴ２ｂに転写される。
【００８８】
ここで、トナーバンドＴＢが作成されない場合には、像保持体ＰＲｙ〜ＰＲｋにおいて、高濃度画像が作成される画像形成領域３と、画像が作成されない非通紙領域２と、帯電状態の差は大きく、トナー濃度の差が大きい。また、一般的に現像剤には帯電助剤等として、トナーよりも粒径の小さな外添剤が外添されており、トナーの極性と外添剤の極性は逆極性になりやすい。したがって、現像時に、画像形成領域３には十分なトナーが吸着される一方で、非通紙領域２、特に濃度差の大きな非通紙領域２と画像形成領域３の境界部には、逆極性の外添剤がトナーから遊離して吸着されやすい。トナーと共に外添剤も清掃可能な画像形成領域３に比べ、外添剤のみが付着した非通紙領域２では、粒径の小さな外添剤を像保持体クリーナＣＬｙ〜ＣＬｋの清掃ブラシ１２や清掃ブレード１３で全て除去することは難しく、像保持体ＰＲｙ〜ＰＲｋの偏磨耗を引き起こす恐れがある。また、除去し切れなかった外添剤は、非通紙領域２と画像形成領域３の境界部を中心として、接触型の帯電ロールＣＲｙ〜ＣＲｋ等に帯状に付着しやすい。これにより、像保持体ＰＲｙ〜ＰＲｋには、帯状の帯電不良が引き起こされ、筋状の画像欠陥が引き起こされることがあった。しかし、実施例１の複合機Ｕでは、高濃度画像の場合に、トナーバンドＴＢを非通紙領域２に作成することで、高濃度画像が作成される画像形成領域３と、画像が作成されない非通紙領域２と、のトナーの濃度の差が低減され、外添剤の付着による筋状の画像欠陥が生じにくくなっている。
【００８９】
図１１はミックス設定時における複数の印刷対象頁の記録シートの幅と清掃時期に関する説明図であり、図１１Ａ〜図１１Ｂは清掃が行われない場合の一例の説明図、図１１Ｃは清掃が行われる場合の一例の説明図である。
図１１Ａにおいて、記録シートＳＡ１，ＳＡ２，ＳＡ３は全て同じ大きさの記録シートＳであり、記録シートＳＡ４は記録シートＳＡ１，ＳＡ２，ＳＡ３と大きさは異なるが、搬送方向に対する幅が等しい。記録シートＳＡ１，ＳＡ２，ＳＡ３には既に印刷されており、記録シートＳＡ３の幅方向両端側にはトナーバンドＴＢが作成されている。記録シートＳＡ４は、これから印刷される印刷対象頁の記録シートＳである。
【００９０】
図１１Ｂにおいて、記録シートＳＢ２，ＳＢ３，ＳＢ４は全て同じ大きさの記録シートＳであり、記録シートＳＢ１は、記録シートＳＢ２，ＳＢ３，ＳＢ４に比べて幅が広い。記録シートＳＢ１，ＳＢ２，ＳＢ３には既に印刷されており、記録シートＳＢ３の幅方向両端側にはトナーバンドＴＢが作成されている。記録シートＳＢ４は、これから印刷される印刷対象頁の記録シートＳである。
図１１Ｃにおいて、記録シートＳＣ１、ＳＣ２，ＳＣ３は全て同じ大きさの記録シートＳであり、記録シートＳＣ４は、記録シートＳＣ１、ＳＣ２，ＳＣ３に比べて幅が広い。記録シートＳＣ１，ＳＣ２，ＳＣ３には既に印刷されており、記録シートＳＣ３の幅方向両端側にはトナーバンドＴＢが作成されている。記録シートＳＣ４は、これから印刷される印刷対象頁の記録シートＳである。記録シートＳＣ３と記録シートＳＣ４の間に清掃が行われる。
【００９１】
像保持体ＰＲｙ〜ＰＲｋにトナー像とトナーバンドＴＢが形成されると、中間転写ベルトＢから記録シートＳに転写される際に、通紙領域１のトナー像は記録シートＳに転写され、非通紙領域２のトナーバンドは二次転写ロールＴ２ｂ表面に転写される。前記二次転写ロールＴ２ｂの表面のトナーバンドは二次転写装置用クリーナＣＬｔにより、清掃される。
したがって、実施例１の複合機Ｕでは、クリーニングサイクル処理のＳＴ３６の処理により、図１１Ａのように、トナーバンドＴＢ印刷時の記録シートＳＡ３の幅が、印刷対象頁の記録シートＳＡ４の幅と同じである場合や、図１１Ｂのように、トナーバンドＴＢ印刷時の記録シートＳＢ３の幅が、印刷対象頁の記録シートＳＢ４の幅に比べて大きい場合には、二次転写ロールＴ２ｂ表面にトナーバンドＴＢが残っていても、記録シートＳに裏移りするおそれがなく、クリーニングサイクルを行わずに画像形成動作が続行される。
【００９２】
一方、クリーニングサイクル処理のＳＴ３６〜ＳＴ３９の処理により、図１１Ｃのように、トナーバンドＴＢ印刷時の記録シートＳＣ３の幅が、印刷対象頁の記録シートＳＣ４の幅よりも小さい場合には、印刷対象頁の記録シートＳＣ４の画像形成動作を中断し、クリーニングサイクルが実行される。すなわち、二次転写ロールＴ２ｂに転写されたトナーバンドＴＢが、二次転写装置用クリーナＣＬｔにより十分に除去できず、トナーバンドＴＢの転写された領域が、後続となる印刷対象頁の記録シートＳの通紙領域１と重なる場合には、印刷対象頁の記録シートＳの転写面裏側が汚れるおそれがあるため、クリーニングサイクルが実行される。そして、クリーニングサイクル処理のＳＴ４１〜ＳＴ４２の処理により、クリーニングサイクルが終了した後に、中断された印刷対象頁の記録シートＳＣ４の画像形成動作が再開される。
【００９３】
仮に、トナーバンドＴＢを作成する度にクリーニングサイクルを実行すると、クリーニングサイクルが頻繁に発生し、生産性が低下するが、実施例１では、所定の条件のみでクリーニングサイクルを実行している。すなわち、図１１Ａ〜図１１Ｂのように、トナーバンドＴＢが、印刷対象頁の記録シートＳＡ４，ＳＢ４に付着する可能性のない場合には、クリーニングサイクルを行わず、図１１Ｃの場合のように、記録シートＳＣ１で作成したトナーバンドＴＢが、印刷対象頁の記録シートＳＣ４に付着する可能性のある場合に、クリーニングサイクルを実行しており、トナーバンドＴＢを作成する度にクリーニングサイクルを実行する場合に比べ、画像形成速度が向上している。
【００９４】
両面印刷設定がされている場合、記録シートＳは、転写領域Ｑ４で一面目に印刷された後に、反転路ＳＨ８を搬送されて、表裏が反転した状態で、もう一度、転写領域Ｑ４に搬送されて印刷される。したがって、仮に両面印刷設定時に、前記クリーニングサイクル処理を実行して、画像形成動作を中断すると、反転中の記録シートＳが搬送されている場合があり、紙詰まりの原因となることがある。これに対応して、実施例１では二面目の記録がされる反転路を搬送中の記録シートＳがある場合に、反転中の記録シートＳの幅がトナーバンド作成予定の頁の記録シートＳよりも幅が広い場合にはトナーバンドＴＢの作成を不許可としている。
【００９５】
図１２はミックス設定と両面印刷設定がなされている場合の複合機における記録シートの幅と、搬送順序と、トナーバンド作成時期についての説明図で、図１２Ａはトナーバンドの作成を不許可とする場合の一例についての説明図、図１２Ｂはトナーバンドの作成を許可する場合の一例についての説明図である。
【００９６】
例えば、大きさが異なる頁を含む８ページを４枚の記録シートＳに両面印刷する場合を考える。
図１２Ａに示すように、同じ幅の記録シート１１，１２，１４と、記録シート１１，１２，１４に比べ幅が広い記録シート１３と、に印刷する場合、すなわち、記録シート１１の一面目１１ａ、記録シート１２の一面目１２ａ、記録シート１１の二面目１１ｂ、記録シート１３の一面目１３ａ、記録シート１２の二面目１２ｂ、記録シート１４の一面目１４ａ、記録シート１３の二面目１３ｂ、記録シート１４の二面目１４ｂの順に印刷する場合において、記録シート１４の一面目１４ａに対して、トナーバンド作成可否処理のＳＴ４によりトナーバンド作成の指示が出される場合を考える。このとき、トナーバンド作成可否処理のＳＴ５〜ＳＴ１３の処理により、印刷対象頁の記録シート１４の幅が、反転中の記録シート１３の幅に比べ狭いと判別され、トナーバンドＴＢの作成は最終的に不許可となり、トナーバンドＴＢが作成されない。したがって、記録シート１４の一面目１４ａへの印刷時にトナーバンドＴＢが作成されてしまうと、反転中の記録シート１３の二面目１３ｂの印刷時に裏移りする恐れがあり、また、トナーバンドＴＢが作成され且つ記録シート１３の反転中に、クリーニングサイクルが実行されると紙詰まりのおそれがあるため、実施例１の複合機Ｕでは、トナーバンドＴＢが作成されないように構成されている。
【００９７】
一方、図１２Ｂに示すように、同じ幅の記録シート２１，２２，２３と、記録シート２１，２２，２３に比べ幅が広い記録シート２４と、に印刷する場合、すなわち、記録シート２１の一面目２１ａ、記録シート２２の一面目２２ａ、記録シート２１の二面目２１ｂ、記録シート２３の一面目２３ａ、記録シート２２の二面目２２ｂ、記録シート２４の一面目２４ａ、記録シート２３の二面目２３ｂ、記録シート２４の二面目２４ｂの順に印刷する場合において、記録シート２４の一面目２４ａに対して、トナーバンド作成可否処理のＳＴ４によりトナーバンドの作成指示が出される場合を考える。このとき、印刷対象頁の記録シート２４の幅が、反転中の記録シート２３の幅に比べ広く、反転中の記録シート２３に裏移りするおそれがないため、トナーバンド作成可否処理のＳＴ５〜ＳＴ１３の処理により、トナーバンドＴＢの作成は許可され、トナーバンドＴＢが作成される。
【００９８】
図１３はミックス設定と両面印刷設定がなされている場合の複合機における記録シートの幅と、搬送順序と、トナーバンド作成時期と、クリーニングサイクル実行時期についての説明図で、図１３Ａはクリーニングサイクルが実行されない場合の一例についての説明図、図１３Ｂは印刷対象頁の前にトナーバンドＴＢが作成されてクリーニングサイクルが実行される場合の一例についての説明図である。
【００９９】
実施例１の複合機Ｕでは、図１３に示すように両面印刷設定時にトナーバンドＴＢを作成する場合には、幅の広い記録シートＳが反転路ＳＨ８を搬送中に、クリーニングサイクルを実行すると紙詰まりの恐れがあり、トナーバンドＴＢの作成もクリーニングサイクルも実行しない。これに対して、クリーニングサイクルを実行可能な場合には、クリーニングサイクルを実行する。
【０１００】
例えば、大きさが異なる頁を含む８ページを４枚の記録シートＳに両面印刷する場合を考える。
図１３Ａに示すように、同じ幅の記録シート３１，３２，３３と、記録シート３１，３２，３３に比べ幅が広い記録シート３４と、に印刷する場合、すなわち、記録シート３１の一面目３１ａ、記録シート３２の一面目３２ａ、記録シート３１の二面目３１ｂ、記録シート３３の一面目３３ａ、記録シート３２の二面目３２ｂ、記録シート３４の一面目３４ａ、記録シート３３の二面目３３ｂ、記録シート３４の二面目３４ｂの順に印刷する場合において、印刷対象頁が記録シート３４の一面目３４ａである場合を考える。このとき、記録シート３４の一面目３４ａよりも前にトナーバンドＴＢが作成されていなければ、図１３Ａに示す順序に従って画像形成が行われる。
【０１０１】
しかし、記録シート３４の一面目３４ａの前に、トナーバンドＴＢが作成されている場合、例えば、図１３Ｂに示すように、記録シート３３の一面目３３ａにトナーバンドＴＢが作成されている場合は、トナーバンド作成時の記録シート３３の幅に比べ、印刷対象頁の記録シート３４の幅が広く、裏移りのおそれがあるため、クリーニングサイクル処理により、画像形成動作が中断される。ここで、仮に、印刷対象頁３４の一面目３４ａの印刷時に全ての画像形成動作が中断されると、反転中の記録シート３３の紙詰まりの恐れがある。一方で、クリーニングサイクルが実行されずに、反転中の記録シート３３の画像形成動作が完了されても、記録シート３４のように裏移りの恐れはない。したがって、実施例１の複合機Ｕでは、クリーニングサイクル処理のＳＴＳＴ３７〜ＳＴ３８の処理により、図１３Ｂに示すように印刷対象頁の記録シート３４の画像形成動作が中断される一方で、反転中の記録シート３３の画像形成が完了される。そして、ＳＴ３９〜ＳＴ４２の処理により、反転中の記録シート３３が排出された後にクリーニングサイクルが実行され、その後に記録シート３４の画像形成動作が再開される。したがって、ミックス設定時で両面印刷時に画像欠陥が低減されつつ、裏移りと紙詰まりが低減されている。
【０１０２】
カット設定がされている場合には、トナーバンド作成指示処理により、図７Ｃに示すように、カット領域Ｓｃと非通紙領域２にトナーバンドＴＢが作成される。したがって、非通紙領域２のみにトナーバンドＴＢが作成される場合に比べ、画像形成領域３の近傍にトナーバンドＴＢが作成され、画像形成領域３と画像形成領域外４の濃度差が低減される。
【０１０３】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記各実施例において、画像形成装置の一例として複合機Ｕを例示したが、これに限定されず、複写機のみ、プリンタのみ、ＦＡＸのみ、の構成も可能である。また、複写機、プリンタ、ＦＡＸ、これら複数の機能を備えた複合機等に適用可能である。さらに、多色の画像形成装置に限定されず、単色、いわゆるモノクロの画像形成装置により構成することも可能である。
【０１０４】
（Ｈ02）前記実施例において、トナーバンド作成指示処理により、印刷対象頁の高濃度エリア数が一定以上の場合に、記録シートＳの大きさに基づいた所定の長さのトナーバンドＴＢが作成されていたが、この構成に限定されるものではない。例えば、高濃度エリア数に応じて、トナーバンドＴＢの濃度を増減させたり、高濃度エリアの位置に対応した非通紙領域２やカット領域Ｓｔの位置にのみ、トナーバンドＴＢを作成したりする構成が可能である。
（Ｈ03）前記実施例において、作成されたトナーバンドＴＢは、無模様のトナー像により構成されていたが、これに限定されず、斑点模様や、市松模様、縞模様等により構成することも可能である。
（Ｈ04）前記実施例において、複合機Ｕ内の温度や湿度によらず、トナーバンド作成指示処理によりトナーバンドＴＢの作成が指示されていたが、複合機Ｕに検知部材の一例としての温度センサや湿度センサを設けて、複合機Ｕ内が所定の高温高湿環境の場合にはトナーバンドＴＢを作成しない構成にすることが可能である。
（Ｈ05）前記実施例において、反転中の記録シートＳは１枚であったが、これに限定されず、反転路ＳＨ８の長さや構成に応じて反転中の記録シートＳが複数枚の場合にも、本発明の構成を適用することが可能である。
【０１０５】
（Ｈ06）前記実施例において、トナーバンド作成指示処理により、印刷対象頁の分割されたエリアごとに画像濃度が演算されたが、エリア分割を行わずに、印刷対象頁全体の画像濃度に基づいて判別する構成にすることも可能である。
（Ｈ07）前記実施例において、印刷頁ごとにトナーバンドＴＢを作成するか否かの処理を行っていたが、これに限定されず、複数の印刷頁にまたがってトナーバンドＴＢを作成するか否かの処理を行う構成にすることが可能である。例えば、トナー濃度２０％以上に相当する画像濃度の印刷対象頁が所定回数繰り返された場合に、トナーバンドＴＢを作成する構成にしたり、複数頁にわたって画像濃度の値を累積し、その累積値が所定の基準値を越えるときに、トナーバンドＴＢを作成する構成にすることが可能である。
【０１０６】
（Ｈ08）前記実施例において、ミックス設定時で両面印刷設定時に、トナーバンドＴＢの作成指示が不許可となると、トナーバンドＴＢが作成されない構成としたが、これに限定されず、例えば、トナーバンドＴＢの作成が不許可となった場合、次の頁でトナーバンドＴＢの作成が可能であれば、次の頁で代わりにトナーバンドＴＢを作成することも可能である。次の頁でも作成不可能であれば、次にトナーバンドＴＢの作成が可能な頁で代わりに作成するようにすることも可能である。
（Ｈ09）前記実施例において、ミックス設定時で両面印刷設定時でカット設定時に、トナーバンドＴＢの作成指示が不許可となると、カット領域Ｓｃ、非通紙領域２共にトナーバンドＴＢが作成されない構成としたが、これに限定されず、例えば、非通紙領域２のみのトナーバンドＴＢの作成を不許可とし、カット領域ＳｃのトナーバンドＴＢの作成は許可する構成も可能である。
【図面の簡単な説明】
【０１０７】
【図１】図１は本発明の実施例１の画像形成装置の全体説明図である。
【図２】図２は実施例１の画像形成装置の要部拡大説明図である。
【図３】図３は本発明の実施例１の全体説明図であり、メインカバーが開放位置と通常位置との間で移動する状態を説明する説明図である。
【図４】図４は実施例１の像保持体の幅と、帯電器の帯電領域の幅と、潜像形成装置による潜像形成領域の幅と、現像ロールの現像領域の幅と、一次転写装置の一次転写領域の幅と、中間転写ベルトの幅と、像保持体清掃器による像保持体清掃領域幅と、二次転写装置の二次転写領域の幅と、記録シートの幅と、中間転写体清掃器による中間転写体清掃領域の幅と、二次転写装置清掃器による二次清掃領域の幅との関係を表した図である。
【図５】図５は本発明の実施例１の画像形成装置の制御部の機能図、いわゆるブロック線図である。
【図６】図６は本発明の実施例１の画像形成装置の制御部のブロック線図であり、図５の続きのブロック線図である。
【図７】図７は制御部による処理の説明図で、記録シートと、画像形成領域と、画像形成領域外と、エリアと、カット領域と、トナーバンドの関係を示した図であり、図７Ａは画像形成領域と画像形成領域外とエリアの説明図、図７Ｂは画像形成領域と画像形成領域外と記録シートとトナーバンドの説明図、図７Ｃは画像形成領域とカット領域と記録シートとトナーバンドの説明図である。
【図８】図８は実施例１のトナーバンド作成可否処理のフローチャートの説明図である。
【図９】図９は実施例１のトナーバンド作成指示処理のフローチャートの説明図であり、図８のＳＴ４，ＳＴ１５のサブルーチンの説明図である。
【図１０】図１０は実施例１のクリーニングサイクル処理のフローチャートの説明図である。
【図１１】図１１はミックス設定時における複数の印刷対象頁の記録シートの幅と清掃時期に関する説明図であり、図１１Ａ〜図１１Ｂは清掃が行われない場合の一例の説明図、図１１Ｃは清掃が行われる場合の一例の説明図である。
【図１２】図１２はミックス設定と両面印刷設定がなされている場合の複合機における記録シートの幅と、搬送順序と、トナーバンド作成時期についての説明図で、図１２Ａはトナーバンドの作成を不許可とする場合の一例についての説明図、図１２Ｂはトナーバンドの作成を許可する場合の一例についての説明図である。
【図１３】図１３はミックス設定と両面印刷設定がなされている場合の複合機における記録シートの幅と、搬送順序と、トナーバンド作成時期と、クリーニングサイクル実行時期についての説明図で、図１３Ａはクリーニングサイクルが実行されない場合の一例についての説明図、図１３Ｂは印刷対象頁の前にトナーバンドＴＢが作成されてクリーニングサイクルが実行される場合の一例についての説明図である。
【符号の説明】
【０１０８】
３…画像形成領域、
４…画像形成領域外、
Ｂ…中間転写体、
Ｃ６Ｃ…裁断設定判別手段、
Ｃ７…高画像濃度判別手段、
Ｃ８Ｃ…濃度差低減判別手段、
Ｃ１０Ｂ…印刷済み媒体情報記憶手段、
Ｃ１４…濃度作用低減画像作成可否決定手段、
Ｃ１７…清掃制御手段、
Ｃ１７Ｄ…媒体幅判別手段、
Ｇｙ，Ｇｍ，Ｇｃ，Ｇｋ…現像装置、
ＬＨｙ，ＬＨｍ，ＬＨｃ，ＬＨｋ…潜像形成装置、
ＰＲｙ，ＰＲｍ，ＰＲｃ，ＰＲｋ…像保持体、
Ｓ…媒体、
Ｓｃ…画像形成外通紙領域、
ＳＨ８…反転路、
Ｔ１ｙ，Ｔ１ｍ，Ｔ１ｃ，Ｔ１ｋ…一次転写装置、
Ｔ２…二次転写装置、
ＴＢ…濃度差低減用画像、
Ｕ…画像形成装置。
【図１】
2010008549.tif 000003
【図２】
2010008549.tif 000004
【図３】
2010008549.tif 000005
【図４】
2010008549.tif 000006
【図５】
2010008549.tif 000007
【図６】
2010008549.tif 000008
【図８】
2010008549.tif 000009
【図９】
2010008549.tif 000010
【図１０】
2010008549.tif 000011
【図７】
2010008549.tif 000012
【図１１】
2010008549.tif 000013
【図１２】
2010008549.tif 000014
【図１３】
2010008549.tif 000015